(57)【特許請求の範囲】
【請求項１】
パレットと、前記パレット上に対向して立設される２枚の第１の側板と、前記対向する２枚の第１の側板を連結するように前記パレット上に対向して立設される２枚の第２の側板と、前記パレット上の前記第１の側板及び前記第２の側板の立設位置の外周側に固設される下枠とを有する組み立て式コンテナであって、
前記第１の側板は、両側面の下端部から両側外方向に突出した位置規定用ピンと、立設された時に前記下枠に接する面に形成される抜け防止ピンと、側面から隣接する前記第２の側板方向に延伸し、当該第２の側板の外面に沿って配置される係合プレートとを有し、
前記第２の側板は、両側面の下端部から両側外方向に突出した位置規定用ピンと、外面上部の左右両縁部に設けられ、前記第１の側板の前記係合プレートを当該第２の側板の外面との間で挟持するプレート挟持機構とを有し、
前記下枠は、前記第１の側板の立設位置の両側に設けられて前記第１の側板の前記位置規定用ピンが落とし込まれる溝部と、前記第１の側板の前記抜け防止ピンが嵌合される抜け防止ピン挿入孔とを有し、
前記プレート挟持機構は、前記第１の側板の前記係合プレートを前記第２の側板の板面との間で挟持するためのスライドピンと、前記スライドピンをスライドさせるための把持部と、前記把持部を通過させると同時にこれを掛止するための掛止部とを有し、
前記第２の側板の前記位置規定用ピンが前記溝部に落とし込まれた前記第１の側板の前記位置規定用ピンの下側で交差するように、前記第１の側板及び前記第２の側板が前記下枠に沿って前記パレット上に装着されていることを特徴とする組み立て式コンテナ。
【請求項２】
前記プレート挟持機構は、さらに、前記スライドピンと同軸で当該スライドピンの後部にて当該スライドピンと接するスプリングを有することを特徴とする請求項１に記載の組み立て式コンテナ。
【請求項３】
前記第２の側板の外面の前記第１の側板の前記係合プレートが配置される領域に、外面方向に突出した係合ピンが形成されており、
前記第１の側板の前記係合プレートに、前記第２の側板の前記係合ピンが嵌合される係合ピン嵌合孔が形成されていることを特徴とする請求項２に記載の組み立て式コンテナ。
【発明の詳細な説明】
【技術分野】
【０００１】
本発明は、側板を折り込むことができる組み立て式コンテナに関する。
【背景技術】
【０００２】
使用時にはパレット上に側壁パネル（側板）を立設して内部に物品を収容する組み立て式のコンテナが知られている（例えば、特許文献１及び特許文献２参照）。組み立て式コンテナは、回送時や保管時に側板をパレット上に折り込んで容積を小さくすることができるので、繰り返し使用するコンテナにおいて非常に有効である。
【特許文献１】特開２００１−９７３７３号公報
【特許文献２】特開２００２−２５５１６５号公報
【０００３】
組み立て式コンテナとしては、側板をパレット上から完全に分離してしまう形態のもの、すなわち分解する形態のものと、側板はパレットから分離せずにパレット上に折り込む形態のものとがある。しかし分解してしまう形態のものでは、側板を紛失してしまったり側板の保管状態が適切でなく損傷が生じて後の使用に支障が生じたりする可能性があり、そのような点においては分離せずに折り込む形態の方が好ましい。
側板をパレットから分離せずにパレット上に折り込む方法としては、側板に回転支持軸を設け、これをパレット上の金枠に回動自在に取り付けることにより側板を回動させてパレット上に倒し込む方法が知られている。その際回転支持軸は、例えば割りピン等を用いて金枠に設けられた孔に離脱不能に取り付けられる。
【発明の開示】
【発明が解決しようとする課題】
【０００４】
前述したように、パレットから分離せずに側板をパレット上に折り込めるコンテナは、側板の紛失や破損を防ぎコンテナの再利用を適切に行う点から有効である。しかしながら、繰り返し使用するコンテナにおいては、コンテナの内部を清掃したい場合や側板の修理や交換をしたい場合には側板を外す必要が生じる。そのような場合、パレットから分離せずに側板をパレット上に折り込めるコンテナにおいては、側板をパレットから分離する、すなわち分解するのに煩雑な作業が必要となる。従って、通常使用時は、パレットから分離する必要なく側板をパレット上に折り込める形態ながら、清掃等の必要な時には、側板をパレットから容易に分離することができるようなコンテナが要望されている。
【０００５】
また、側板をパレットから分離せずにパレット上に折り込める形態のコンテナは、その側板の掛止機構や回動機構の構成が複雑となり、コンテナのコストが高くなるとともに重量も重くなる。従って、部品点数の少ない簡単な構成で上述したような機構、すなわち、通常使用時はパレットから分離せずに側板をパレット上に折り込め、必要な時には側板をパレットから容易に分離できるような機構を実現することが要望されている。
【０００６】
従って本発明の目的は、構成が簡単で、通常使用時は側板をパレット上に立設あるいは折り込むことが可能で、必要な時には側板をパレットから容易に分離できる組み立て式コンテナを提供することにある。
【課題を解決するための手段】
【０００７】
前記目的を達成するために、本発明に係る組み立て式コンテナは、パレットと、前記パレット上に対向して立設される２枚の第１の側板と、前記対向する２枚の第１の側板を連結するように前記パレット上に対向して立設される２枚の第２の側板と、前記パレット上の前記第１の側板及び前記第２の側板の立設位置の外周側に固設される下枠とを有する組み立て式コンテナであって、前記第１の側板は、両側面の下端部から両側外方向に突出した位置規定用ピンと、立設された時に前記下枠に接する面に形成される抜け防止ピンとを有し、前記第２の側板は、両側面の下端部から両側外方向に突出した位置規定用ピンを有し、前記下枠は、前記第１の側板の立設位置の両側に設けられて前記第１の側板の前記位置規定用ピンが落とし込まれる溝部と、前記第１の側板の前記抜け防止ピンが嵌合される抜け防止ピン挿入孔とを有し、前記第２の側板の前記位置規定用ピンが前記溝部に落とし込まれた前記第１の側板の前記位置規定用ピンの下側で交差するように、前記第１の側板及び前記第２の側板が前記下枠に沿って前記パレット上に装着されていることを特徴とする。
【０００８】
好適には、第１の側板は、側面から隣接する前記第２の側板方向に延伸し、当該第２の側板の外面に沿って配置されるプレート部を有し、前記第２の側板は、前記第１の側板の前記プレート部を、当該第２の側板の外面との間で挟持するプレート挟持機構を有することを特徴とする。
【０００９】
さらに好適には、前記第２の側板の外面の前記第１の側板の前記プレート部が配置される領域に、外面方向に突出した係合ピンが形成されており、前記第１の側板の前記プレート部に、前記第２の側板の前記係合ピンが嵌合される係合ピン嵌合孔が形成されていることを特徴とする。
【発明の効果】
【００１０】
本発明によれば、構成が簡単で、通常使用時は側板をパレット上に立設あるいは折り込むことが可能で、必要な時には側板をパレットから容易に分離できる組み立て式コンテナを提供することができる。
【発明を実施するための最良の形態】
【００１１】
本発明の組み立て式コンテナの一実施形態について図１〜図６を参照して説明する。
図１は、本発明の１実施形態に係る組み立て式コンテナの構成を示す分解斜視図であり、図２は、図１に示した組み立て式コンテナの第１の側板の構成を示す斜視図であり、図３は、図１に示した組み立て式コンテナの第２の側板の構成を示す斜視図であり、図４は、図２に示した第１の側板が第１の枠部沿って立設している状態を示す図であり、図５は、図２に示した第１の側板と図３に示した第２の側板との設置状態を説明するための図であり、図６は、図１に示した組み立て式コンテナの第２の側板に装着されるプレート挟持機構の構成を示す図であって、図６（Ａ）は上面図であり、図６（Ｂ）は側面図である。る。
本実施形態に例示する組み立て式コンテナは、特定の物を被収容対象とするものではなく任意の物を収容可能なコンテナであり、例えば、食品や医薬品等を収容してもよいし、あるいはまた、工業製品の部品等の収容に用いてもよい。
【００１２】
図１に示すように、組み立て式コンテナ１は、パレット１００、下枠２００、床板３００、２枚の第１の側板４１０、２枚の第２の側板４２０及び蓋部材５００を有する。
【００１３】
パレット１００は、コンテナ１の搬送台である。パレット１００の側面には、フォークリフトの爪部が差し込まれるリフト用孔１１０が形成されている。本実施形態のパレット１００は樹脂製であるが、ステンレスやアルミニウム等の金属製であってもよい。
【００１４】
下枠２００は、パレット１００の上面の周縁に沿って設置される部材であって、側板（第１の側板４１０及び第２の側板４２０）の位置を規定するとともに、これらを立設あるいは折り込むための支持部材である。
下枠２００は、後述する第１の側板４１０が立設される位置に沿って設置される第１の枠部２１０と、後述する第２の側板４２０が立設される位置に沿って設置される第２の枠部２２０とを有する。
第１の枠部２１０及び第２の枠部２２０は、各々２枚の第１の側板４１０及び第２の側板４２０をパレット１００上に折り込んだ時の高さ、すなわち、側板４枚分の板厚に相当する高さを有する。
なお、下枠２００の材質は、金属や樹脂が好ましく、金属がより好ましい。
【００１５】
第１の枠部２１０の両端部には、図１及び図５に示すように、第１の側板４１０の下縁両端部に設けられたに側板位置規定用ピン４１５が落とし込まれる溝２１５が形成されている。溝２１５は、図５に示すように、第２の枠部２２０の板面からさらに外方向に突出するように形成されている。
【００１６】
第１の枠部２１０の両側の端部近傍の板面上部には、図１及び図４に示すように、第１の側板４１０が第１の枠部２１０に沿って立設された時に第１の側板４１０に形成された抜け防止ピン４１７が挿入されて通過されるための抜け防止ピン挿入孔２１７が形成されている。すなわち、抜け防止ピン挿入孔２１７は、第１の枠部２１０において、第１の側板４１０が第１の枠部２１０に沿って立設された時に、第１の側板４１０の抜け防止ピン４１７が配置される位置に対応する位置に形成される。第１の側板４１０が抜け防止ピン４１７を抜け防止ピン挿入孔２１７に挿入させて第１の枠部２１０に沿って立設されることにより、第１の側板４１０は、第１の枠部２１０に対して上方向に抜けない状態とされる。
【００１７】
また、図１に示すように、第１の側板４１０の高さは第２の側板４２０の高さよりも短く、第１の側板４１０及び第２の側板４２０が下枠２００に沿って立設される時、第１の側板４１０の下縁は第２の側板４２０の下縁よりも上方に配置されることとなる。そのために、第１の枠部２１０の内側には、図４に示すように、第１の側板４１０が載置される段差部２１２が設けられている。すなわち、第１の側板４１０が第１の枠部２１０に沿って立設される時、第１の側板４１０はこの段差部２１２上に載置される。
【００１８】
床板３００は、組み立て式コンテナ１の収容空間の下面を規定する板部材であり、パレット１００上の下枠２００で囲まれた範囲に載置される。床板３００の材質は、特に限定されず、プラスチック段ボール板、合成樹脂板（発泡合成樹脂板を含む）、薄い金属板、合板、繊維板等が用いられる。
【００１９】
各々２枚の第１の側板４１０及び第２の側板４２０は、パレット１００の上面周縁部に立設され、所望の物品を収容する組み立て式コンテナ１の内部収容区間を形成する。
一対の第１の側板４１０は、矩形のパレット１００の一方の対辺上に相互に対向するように配置され、一対の第２の側板４２０は、パレット１００の他方の対辺上に同じく相互に対向するように、また、第１の側板４１０の両側端を連結するように配置される。
【００２０】
第１の側板４１０及び第２の側板４２０は、面部材の周囲に、側端枠材、上下枠材等の枠部材が装着された構成である。面部材の材質は特に限定されないが、例えば床板３００と同様のプラスチック段ボール板、合成樹脂板（発泡合成樹脂板を含む）、薄い金属板、合板、繊維板等が用いられる。また枠部材は、例えば鋼材等の金属で構成される。
【００２１】
第１の側板４１０は、図２に示すように、その下縁両側に、下縁を延長する方向に突出した側板位置規定用ピン４１５を有する。第１の側板４１０をパレット１００に取り付ける時には、この側板位置規定用ピン４１５を第１の枠部２１０の両側に形成された溝２１５に落とし込む。これにより第１の側板４１０は、その下縁の水平方向の位置が第１の枠部２１０に沿った位置に保持される。前述したように、第１の側板４１０の下縁は第１の枠部２１０の段差部２１２上に載置された状態となっており、これにより第１の側板４１０は、その下縁及び側板位置規定用ピン４１５を支点として回動され、第１の枠部２１０に沿って立設された状態、あるいは、パレット１００上に折り込まれた（寝かされた）状態とされる。
【００２２】
また、第１の側板４１０の両側外面の下部には、第１の側板４１０が第１の枠部２１０に沿って立設された時に第１の枠部２１０の抜け防止ピン挿入孔２１７に挿入される抜け防止ピン４１７が形成されている。第１の側板４１０は、抜け防止ピン４１７を第１の枠部２１０の抜け防止ピン挿入孔２１７に挿入させて第１の枠部２１０に沿って立設されることにより、第１の枠部２１０に対して上方向に抜けない状態とされる。
【００２３】
第１の側板４１０の左右両方の側縁部には、第２の側板４２０と係合するための係合プレート４１３が形成されている。係合プレート４１３は、第１の側板４１０の左右両側の周縁部から板面に垂直に内側方向（第２の側板４２０方向）に伸びた薄板状の部分である。係合プレート４１３は、第１の側板４１０の枠部材の一部を内側方向に延伸することにより、あるいはまた、第１の側板４１０の両側の枠部材として断面Ｌ字の金具を用いることにより形成するのが好適である。第１の側板４１０及び第２の側板４２０がパレット１００上に立設される場合、第１の側板４１０の係合プレート４１３に隣接する第２の側板４２０が密接に配置されて、第２の側板４２０に備わるスライドピン４２７によりその密接状態が維持される。
【００２４】
第１の側板４１０の係合プレート４１３の上部には、第２の側板４２０に具備される係合ピン４２４が嵌合される係合ピン嵌合孔４１４が形成されている。前述したように、第２の側板４２０が第１の側板４１０の係合プレート４１３に密接するように第１の側板４１０及び第２の側板４２０が立設された状態において、第２の側板４２０の係合ピン４２４が第１の側板４１０の係合ピン嵌合孔４１４に嵌合される。
【００２５】
第２の側板４２０は、図３に示すように、その下縁両側に、下縁を延長する方向に突出した側板位置規定用ピン４２５を有する。側板位置規定用ピン４２５は、隣接する第１の側板４１０の厚みとほぼ同じ程度の長さに形成される。第２の側板４２０をパレット１００に取り付ける時には、側板位置規定用ピン４２５を含む第２の側板４２０の下縁部分を、第２の枠部２２０に沿って、第２の枠部２２０の両側において各々接続される第１の枠部２１０の間に配置する。この際、第２の側板４２０をまずパレット１００上の当該位置に配置し、その後、第１の側板４１０を、前述したように側板位置規定用ピン４１５を第１の枠部２１０の溝２１５に落とし込むことにより装着する。これにより、図５に示すように、第２の側板４２０の側板位置規定用ピン４２５の上に、その側板位置規定用ピン４２５に垂直に交差して、第１の側板４１０の側板位置規定用ピン４１５が配置されることとなる。この関係は、第１の側板４１０及び第２の側板４２０を立設した場合も同じである。その結果、第１の側板４１０は前述したように抜け防止ピン４１７が第１の枠部２１０の抜け防止ピン挿入孔２１７に挿入されることにより上方に抜けないように固設されるので、側板位置規定用ピン４２５が第１の側板４１０の側板位置規定用ピン４１５により押さえられている第２の側板４２０も、上方に抜けない状態に固設されることになる。
【００２６】
第２の側板４２０の外面上部の左右両縁部には、第１の側板４１０及び第２の側板４２０がパレット１００上において立設された時に、第１の側板４１０の係合プレート４１３に形成された係合ピン嵌合孔４１４に嵌合される係合ピン４２４が形成されている。第２の側板４２０は、係合ピン４２４を第１の側板４１０の係合ピン嵌合孔４１４に嵌合させて第１の側板４１０の係合プレート４１３に密接されて立設されることにより、第１の側板４１０に対して少なくとも上下方向に移動しない状態に維持される。
【００２７】
また、第２の側板４２０の外面上部の左右両縁部の前述した係合ピン４２４の近傍には、第１の側板４１０の係合プレート４１３を第２の側板４２０の板面との間で挟持するためのスライドピン４２７を有するプレート挟持機構４２６が設置されている。
プレート挟持機構４２６は、図６（Ａ）及び図６（Ｂ）に示すように、第２の側板４２０の外面と平行に、その外面と所定の間隔で軸方向に移動するスライドピン４２７と、これをスライドさせるための把持部４２８と、把持部４２８を通過させると同時にこれを掛止するための掛止部４２９とを有する。
【００２８】
プレート挟持機構４２６において、把持部４２８はスライドピン４２７の外径方向に延伸するようにスライドピン４２７に接続されたピンであり、また掛止部４２９は、把持部４２８がようやく通過できる程度の間隙をスライドピン４２７の周囲に残してスライドピン４２７の周囲を覆う円環板状の部材である。
プレート挟持機構４２６においては、把持部４２８を掛止部４２９よりも端部側に移動させた時に、スライドピン４２７は第２の側板４２０の端部側に突出した状態４２７ａとなる。この状態で把持部４２８をスライドピン４２７の周方向に回転させることにより、把持部４２８が掛止部４２９より掛止されて内側に移動できなくなり、スライドピン４２７はその突出した状態４２７ａで維持される。
【００２９】
また、把持部４２８をスライドピン４２７の周方向に回転させて掛止部４２９の間隙の位置にあわせることにより、把持部４２８は掛止部４２９の間隙を通過して第２の側板４２０の内側方向に移動可能な状態となる。この状態で把持部４２８を掛止部４２９よりも内側に移動させた時に、スライドピン４２７は第２の側板４２０の内側に移動した状態４２７ｂとなる。この状態で把持部４２８をスライドピン４２７の周方向に回転させることにより、把持部４２８が掛止部４２９により掛止されて端部側に移動できなくなり、スライドピン４２７はその内側の状態４２７ｂで維持される。
【００３０】
そして、第２の側板４２０は、第１の側板４１０とともにパレット１００上に立設された時、その左右両側の周縁部の外面には、第１の側板４１０の係合プレート４１３が密接される。この状態において、スライドピン４２７を端部側の位置４２７ａに移動させることにより、第１の側板４１０の係合プレート４１３は第２の側板４２０の板面とスライドピン４２７との間に挟持される。その結果、相対的に第２の側板４２０は第１の側板４１０の係合プレート４１３に密接された状態で維持され、パレット１００の上部に倒れ込むことが防止される。
【００３１】
また、プレート挟持機構４２６の把持部４２８を操作してスライドピン４２７を内側に引いた位置４２７ｂに移動させれば、第１の側板４１０の係合プレート４１３の外側は何も掛止手段が無い状態となり開放される。その結果、相対的に第２の側板４２０は第１の側板４１０の係合プレート４１３から分離して第１の側板４１０の内側に折り込むことが可能となる。
このようにしてプレート挟持機構４２６により、第２の側板４２０と第１の側板４１０の立設状態及び折り込み状態が切り替えられる。
【００３２】
蓋部材５００は、パレット１００上に立設された第１の側板４１０及び第２の側板４２０により形成されるコンテナ１の収容空間の上部開口を閉塞するための蓋部材である。
蓋部材５００も、第１の側板４１０、第２の側板４２０及び床板３００と同様に、例えばプラスチック段ボール、薄い金属板、合板、繊維板等により構成される。
蓋部材５００の上面には、物品を収容した状態で、あるいは、折り畳まれた状態で、コンテナ１を順次段積み可能なように、係止凸部５１０が形成されている。係止凸部５１０は、パレット１００の下面の図示せぬ掛止凹部に係合するような配置、形状に形成される。
【００３３】
このような構成のコンテナ１においては、物品を収容せずに保管あるいは回送される時には、パレット１００上に、対向する２枚の第２の側板４２０及び対向する２枚の第１の側板４１０がこの順番に折り込まれて、さらにその上に蓋部材５００が載置されて、順次段積みされる等して保管等される。
このような組み立て式コンテナ１を使用する、すなわち所望の物品を収容する場合には、まず、対向する２枚の第１の側板４１０を第１の枠部２１０に沿って立設する。第１の側板４１０はパレット１００上に折り込まれているので、その上部を支持して下縁が回転軸となるように持ち上げることにより、第１の側板４１０は立設状態となる。この際、第１の側板４１０が第１の枠部２１０に沿って立設状態となる時には、第１の側板４１０の抜け防止ピン４１７は、第１の枠部２１０の抜け防止ピン挿入孔２１７に挿入される。その結果、第１の側板４１０は、第１の枠部２１０に対して上方に抜けない状態となる。
【００３４】
第１の側板４１０を立設したら、次に、第２の側板４２０を立設する。同じく、パレット１００上に折り込まれている第２の側板４２０の上部を支持して、下縁が回転軸となるように持ち上げることにより、第２の側板４２０は立設状態となる。この時、第２の側板４２０は第１の側板４１０の係合プレート４１３に当接した状態となり、これにより、第２の側板４２０の上部両側に形成されている係合ピン４２４は第１の側板４１０の係合ピン嵌合孔４１４に嵌合された状態となる。
【００３５】
そして、第２の側板４２０を第１の側板４１０に沿って立設した状態としたら、第２の側板４２０のプレート挟持機構４２６のスライドピン４２７をスライドして、スライドピン４２７を係合プレート４１３の外側に突出した状態４２７ａとする。その結果、第２の側板４２０は第１の側板４１０の係合プレート４１３を挟持した状態に維持され、第２の側板４２０及び第１の側板４１０はともに、パレット１００上に倒れ込むことが防止され、立設状態が維持される。
【００３６】
また、この状態においては、第１の側板４１０の抜け防止ピン４１７は第１の枠部２１０の抜け防止ピン挿入孔２１７に嵌合され、第２の側板４２０の係合ピン４２４は第１の側板４１０の係合ピン嵌合孔４１４に嵌合される。また、第２の側板４２０の側板位置規定用ピン４２５は第１の側板４１０の側板位置規定用ピン４１５により上方を押さえられた状態である。その結果、下枠２００、第１の側板４１０及び第２の側板４２０は一体化され、任意の物品を適切に収容して保護することのできるコンテナが構成される。
【００３７】
物品の搬送等が終了して組み立て式コンテナ１を回送等する時には、プレート挟持機構４２６のスライドピン４２７を内側に引いた状態４２７ｂにスライドさせることにより、第２の側板４２０を内側に（パレット１００の上方に）折り込むことが可能となる。
対向する２枚の第２の側板４２０をパレット１００上に折り込んだら、第１の側板４１０についてもこれをパレット１００上に折り込むことが可能となる。その結果、組み立て式コンテナ１は、４枚の側板をパレット１００上に折り込んだ状態となり、小さい容積での保管や回送が可能となる。
【００３８】
また、組み立て式コンテナ１において、掃除や修理のために側板を取り外したい時には、組み立て式コンテナ１を折り込んだ状態から、まず、第１の側板４１０を上方に持ち上げ、側板位置規定用ピン４１５を第１の枠部２１０の溝２１５から抜き取る。これにより、第１の側板４１０はパレット１００から分離された状態となる。
また、第１の側板４１０を抜いた後は、第２の側板４２０の側板位置規定用ピン４２５を押さえていた第１の側板４１０の側板位置規定用ピン４１５が除去された状態なので、第２の側板４２０も同様に上方に抜き取ることができる。
すなわち、組み立て式コンテナ１は、このような簡単な方法により第１の側板４１０及び第２の側板４２０の係合状態を解除し、分解することができ、その結果、側板の交換や清掃、洗浄等を簡単に行うことができる。
【００３９】
このように、本実施形態の組み立て式コンテナ１は、容易に組み立て及び解体が可能であり、組み立てた時には、任意の被収容物を内部に適切に収容することができる。また、解体した時には容積を小さくすることができる。
また、通常の組み立て方法は、第１の側板４１０及び第２の側板４２０をパレット１００上に折り込むあるいは立設するだけであり、各側板はパレットとつながった状態で組み立て等が行われる。従って、側板を分離することによる損傷や紛失を防ぐことができる。
【００４０】
一方で、側板を分離したい時には、側板が折り込んである状態から各側板を順次上方に抜き出せばよい。従って、必要な時には簡単な方法により分離することも可能である。
【００４１】
なお、本発明は、上述した実施形態に限定されるものではなく、本発明の範囲内で種々に改変することができる。
【図面の簡単な説明】
【００４２】
【図１】図１は、本発明の１実施形態に係る組み立て式コンテナの構成を示す分解斜視図である。
【図２】図２は、図１に示した組み立て式コンテナの第１の側板の構成を示す斜視図である。
【図３】図３は、図１に示した組み立て式コンテナの第２の側板の構成を示す斜視図である。
【図４】図４は、図２に示した第１の側板が第１の枠部沿って立設している状態を示す図である。
【図５】図５は、図２に示した第１の側板と図３に示した第２の側板との設置状態を説明するための図である。
【図６】図６は、図１に示した組み立て式コンテナの第２の側板に装着されるプレート挟持機構の構成を示す図である。
【符号の説明】
【００４３】
１…組み立て式コンテナ
１００…パレット
１１０…リフト用孔
２００…下枠
２１０…第１の枠部
２１２…段差部
２１５…溝
２１７…抜け防止ピン挿入孔
２２０…第２の枠部
３００…床板
４１０…第１の側板
４１３…係合プレート
４１４…係合ピン嵌合孔
４１５…側板位置規定用ピン
４１７…抜け防止ピン
４２０…第２の側板
４２４…係合ピン
４２５…側板位置規定用ピン
４２６…プレート挟持機構
４２７…スライドピン
４２８…把持部
４２９…掛止部
５００…蓋部材
５１０…係止凸部
【図１】
0005034833.tif 000002
【図２】
0005034833.tif 000003
【図３】
0005034833.tif 000004
【図４】
0005034833.tif 000005
【図５】
0005034833.tif 000006
【図６】
0005034833.tif 000007